(57)【要約】      （修正有）【課題】表面特徴を生成するために波形テッセレーションを使用する装置、システム及び方法を提供する。【解決手段】装置は、第１の構成及び第１の構成とは異なる第２の構成であることが可能なタッチセンサ面を備える。タッチセンサ面が第２の構成である場合に、タッチセンサ面は第１の構成である場合には存在しない入力装置が提供されてもよい。タッチセンサ面は、第１の構成では平坦な表面であり、第２の構成では物理的キーボードを含む３次元表面である。携帯電話又はタブレットコンピュータ等の装置は、タッチセンサ面を含むタッチセンサ式ディスプレイを備える。【選択図】図１
2019145146.tif 000002
【特許請求の範囲】
【請求項１】
第１の構成及び第２の構成をとることができるタッチセンサ面であって、前記第２の構成である場合に、前記第１の構成である場合には画定されない第１の入力装置を画定するタッチセンサ面
を備える、装置。
【請求項２】
前記タッチセンサ面は、前記第１の構成である場合に実質的に平坦な表面を画定し、前記第２の構成である場合に検知可能な３次元起伏表面を画定する、請求項１に記載の装置。
【請求項３】
前記第１の入力装置は、３次元ボタン又は３次元キーの少なくとも１つを含む、請求項１に記載の装置。
【請求項４】
前記第１の入力装置は、物理的キーボードを含む、請求項１に記載の装置。
【請求項５】
前記タッチセンサ面を備えるタッチセンサ式ディスプレイであって、前記タッチセンサ面が前記第１の構成である場合に前記タッチセンサ式ディスプレイ上の場所との接触を介して入力を受信するように構成され、前記タッチセンサ面が前記第２の構成である場合に前記第１の入力装置を介して入力を受信するように構成されるタッチセンサ式ディスプレイ
を更に備える、請求項１に記載の装置。
【請求項６】
前記タッチセンサ式ディスプレイは、前記タッチセンサ面が前記第１の構成である場合に、実質的に平坦なビュー領域を含み、
前記タッチセンサ式ディスプレイは、前記タッチセンサ面が前記第２の構成である場合に、実質的に平坦なビュー領域を含む第１の部分及び前記第１の入力装置を画定する第２の部分を含む、請求項５に記載の装置。
【請求項７】
前記第１の部分は、前記第２の部分に対して角度が付けられる、請求項６に記載の装置。
【請求項８】
前記タッチセンサ面は、適切な力が前記タッチセンサ面に加えられる場合に前記第１の構成から前記第２の構成への変換を支援するように構成される複数の折り目を含む、請求項１に記載の装置。
【請求項９】
前記適切な力は、前記タッチセンサ面の一部を手で曲げることを含む、請求項８に記載の装置。
【請求項１０】
前記複数の折り目のサブセットの各々が、前記適切な力が前記タッチセンサ面に加えられるまで、前記タッチセンサ面に前記第１の構成を維持させるように構成される各既定の張力を含む、請求項８に記載の装置。
【請求項１１】
前記複数の折り目のサブセットの各々が、一旦前記適切な力が前記タッチセンサ面に加えられると、前記タッチセンサ面に前記第２の構成を維持させるように構成される各既定の張力を含む、請求項８に記載の装置。
【請求項１２】
複数のアクチュエータを更に備え、前記複数のアクチュエータの第１のサブセットは、前記タッチセンサ面が前記第１の構成から前記第２の構成に変わるように前記複数の折り目に対して前記適切な力を引き起こすように構成される、請求項８に記載の装置。
【請求項１３】
前記第１の入力装置は、キーを備えるキーボードを含み、
前記複数のアクチュエータから１つのアクチュエータは、前記タッチセンサ面が前記第２の構成である場合に、前記キーのキー押下に対応する圧力を検出するように構成される、請求項１２に記載の装置。
【請求項１４】
前記タッチセンサ面は、前記第１の構成及び前記第２の構成において双安定である、請求項１に記載の装置。
【請求項１５】
前記装置は、前記タッチセンサ面が前記第１の構成である場合に第１の複数の入力装置を画定し、前記タッチセンサ面が前記第２の構成である場合に第２の複数の入力装置を画定し、前記第１の複数の入力装置は前記第１の入力装置を含まず、前記第２の複数の入力装置は前記第１の入力装置を含む、請求項１に記載の装置。
【請求項１６】
前記装置は、無線電話又はタブレットコンピュータの少なくとも１つである、請求項１に記載の装置。
【請求項１７】
前記装置は携帯型であり、前記装置は互換性のある電子装置と接続され且つ前記タッチセンサ面が前記第２の構成である場合にキーボードとして使用されるように構成され、前記装置は前記第１の構成である場合には前記キーボードとして使用されるように構成されない、請求項１に記載の装置。
【請求項１８】
プロセッサによって、タッチセンサ面が第１の構成から前記第１の構成とは異なる第２の構成に変換されるべきであることを示す第１の入力を受信するステップと、
前記プロセッサによって、複数のアクチュエータに前記タッチセンサ面を前記第１の構成から前記第２の構成に変換させるように構成される信号を生成するステップと、
前記電子装置によって、前記複数のアクチュエータに前記信号を出力するステップと
を含み、前記タッチセンサ面は、前記第２の構成である場合に、前記タッチセンサ面が前記第１の構成である場合には含まない第１の入力装置を画定する、方法。
【請求項１９】
前記プロセッサによって、前記タッチセンサ面が前記第２の構成である場合に前記第１の入力装置を介して第２の入力を受信するステップと、
前記プロセッサによって、前記第２の入力に少なくとも部分的に基づいて前記タッチセンサ面に関係付けられるディスプレイに情報を表示するステップと
を更に含む、請求項１８に記載の方法。
【請求項２０】
プロセッサによって、第１の情報を受信するステップと、
前記プロセッサによって、前記第１の情報に少なくとも部分的に基づいてタッチセンサ面に対する第１のレイアウトを決定するステップであって、前記第１のレイアウトは前記タッチセンサ面の現在のレイアウトとは異なるステップと、
前記プロセッサによって、前記タッチセンサ面を前記現在のレイアウトから前記第１のレイアウトに変換させるように構成される信号を生成するステップと、
前記プロセッサによって、前記信号を出力するステップと
を含み、前記タッチセンサ面は、前記第１のレイアウトを有する場合に、前記タッチセンサ面が前記第２のレイアウトを有する場合には含まない第１の入力装置を画定する、方法。
【請求項２１】
前記現在のレイアウトは実質的に平坦な表面を有する前記タッチセンサ面を含み、前記第１のレイアウトは前記第１の入力装置を含む３次元表面を有する前記タッチセンサ面を含み、前記第１の入力装置は３次元入力装置を含む、請求項２０に記載の方法。
【発明の詳細な説明】
【技術分野】
【０００１】
本開示は、概して、表面特徴を生成するために波形テッセレーションを使用する装置、システム及び方法に関する。
【背景技術】
【０００２】
従来、機械式ボタンがハンドヘルド移動装置のユーザに物理的な触感を提供してきた。しかしながら、こうした装置、特に携帯電話におけるタッチセンサ面（例えば、タッチスクリーン）の人気の増加に伴い、多くの場合、機械式ボタンはもはや存在していない。その代わり、このような装置には、ユーザに様々なイベントを知らせる触覚効果を出力するために触覚出力装置が含まれる場合がある。
【発明の概要】
【０００３】
実施形態は、表面特徴を生成するために波形テッセレーションを使用する装置、システム及び方法を提供する。例えば、一実施形態では、装置は、第１の構成及び第２の構成をとることができるタッチセンサ面を備える。タッチセンサ面は、第２の構成にある場合に、第１の入力装置を画定してもよい。タッチセンサ面は、第１の構成にある場合に、第１の入力装置を画定してなくてもよい。第１の入力装置は、３次元ボタン及び／又は３次元キーであってもよい。一実施形態では、第１の入力装置は、物理的キーボードである。
【０００４】
複数の実施形態において、装置は、タッチセンサ面を備えるタッチセンサ式ディスプレイを備える。タッチセンサ式ディスプレイは、タッチセンサ面が第１の構成にある場合にタッチセンサ式ディスプレイ上の場所との接触を介して入力を受信するように構成されてもよい。タッチセンサ式ディスプレイは、タッチセンサ面が第２の構成にある場合に第１の入力装置を介して入力を受信するように構成され得る。一部の実施形態では、タッチセンサ式ディスプレイは、タッチセンサ面が第１の構成にある場合に実質的に平坦なビュー領域を含む。タッチセンサ式ディスプレイは、実質的に平坦なビュー領域を含む第１の部分を含むことができる。タッチセンサ式ディスプレイは、タッチセンサ面が第２の構成にある場合に第１の入力装置を含む第２の部分を有してもよい。第１の部分は、第２の部分に対して角度が付けられてもよい。
【０００５】
一部の実施形態では、タッチセンサ面は、複数の折り目を含む。複数の折り目の１つ以上が、適切な力がタッチセンサ面に加えられると、タッチセンサ面を第１の構成から第２の構成に変換するのを支援するように構成されてもよい。一実施形態では、適切な力は、タッチセンサ面の一部を手で曲げることを含む。適切な力がタッチセンサ面に加えられるまで、１つ以上の折り目が、タッチセンサ面に第１の構成を維持させるように構成される既定の張力を含み得る。一旦適切な力がタッチセンサ面に加えられたら、１つ以上の折り目は、タッチセンサ面に第２の構成を維持させるように構成される既定の張力を含んでもよい。
【０００６】
複数の実施形態において、装置は、複数のアクチュエータを備える。１つ以上のアクチュエータが、タッチセンサ面が第１の構成から第２の構成に変化するように複数の折り目に対して適切な力を引き起こすように構成されてもよい。第２の構成にある場合に、タッチセンサ面は、１つ以上のキーを含むキーボードを含んでもよい。複数の実施形態において、１つ以上のアクチュエータは、タッチセンサ面が第２の構成にある場合に１つ以上のキーの押下に対応する圧力を検出することができる。複数の実施形態において、タッチセンサ面は双安定である。例えば、タッチセンサ面は、第１の構成又は第２の構成の何れかであるように構成され得る。
【０００７】
複数の実施形態において、装置は、タッチセンサ面が第１の構成にある場合に複数の入力装置を含む。この実施形態において、装置は、タッチセンサ面が第２の構成にある場合に第２の複数の入力装置を含んでもよい。第１の複数の装置は、第２の複数の装置とは異なってもよい。例えば、一実施形態では、第２の複数の装置は、タッチセンサ面が第２の構成にある場合に、タッチセンサ面が第１の構成にある場合に第１の複数の装置が有していない１つ以上の入力装置を含む。装置は、無線電話、タブレットコンピュータ、又は任意の他の適切な電子装置であってもよい。複数の実施形態において、タッチセンサ面を有する装置は携帯型であり、互換性のある電子装置と接続され、タッチセンサ面が第２の構成である場合に、物理的キーボードとして使用されるように構成される。この実施形態では、装置は、タッチセンサ面が第２の構成とは異なる第１の構成である場合に、物理的キーボードとして使用されるように構成されなくてもよい。
【０００８】
一実施形態では、方法は、プロセッサによって、第１の入力を受信することを含む。第１の入力は、タッチセンサ面が第１の構成から第１の構成とは異なる第２の構成に変換されるべきであることを示してもよい。この実施形態では、方法は、プロセッサによって、１つ以上のアクチュエータにタッチセンサ面を第１の構成から第２の構成に変換させるように構成される信号を生成することを更に含む。この実施形態では、方法は、電子装置によって、１つ以上のアクチュエータに信号を出力することを更に含む。タッチセンサ面は、第２の構成である場合に、タッチセンサ面が第１の構成である場合に含まない第１の入力装置を含んでもよい。一実施形態では、方法は、プロセッサによって、タッチセンサ面が第２の構成である場合に第１の入力装置を介して第２の入力を受信することを更に含む。この実施形態では、方法は、第２の入力に少なくとも部分的に基づいてタッチセンサ面に関係付けられるディスプレイに情報を表示することを更に含む。
【０００９】
一実施形態では、方法は、プロセッサによって、第１の情報を受信することを含む。この実施形態では、方法は、プロセッサによって、第１の情報に少なくとも部分的に基づいてタッチセンサ面に対する第１のレイアウトを決定することを更に含む。第１のレイアウトは、タッチセンサ面の現在のレイアウトとは異なってもよい。一部の実施形態では、方法は、プロセッサによって、タッチセンサ面を現在のレイアウトから第１のレイアウトに変換させるように構成される信号を生成することを更に含む。この実施形態では、方法は、プロセッサによって、信号を出力することを更に含む。タッチセンサ面は、第１のレイアウトである場合に、タッチセンサ面が第２のレイアウトでは含まない第１の入力装置を含み得る。一部の実施形態では、現在のレイアウトは、実質的に平坦な表面を有するタッチセンサ面を含む。第１のレイアウトは、３次元表面を有するタッチセンサ面を含んでもよい。複数の実施形態において、３次元表面は第１の入力装置を画定することができ、第１の入力装置は３次元ボタン又は３次元キー等の３次元入力装置であってもよい。
【００１０】
他の実施形態では、コンピュータ可読媒体は、本明細書に記載の１つ以上の方法の全て又は一部を実行するためのプログラムコードを含む。こうした例示の実施形態は、本発明を限定又は画定するために言及されるのではなく、その理解を支援するための例示を提供するものである。詳細な説明において例示の実施形態が検討されており、そこには本発明の更なる説明が提供されている。本発明の様々な実施形態によってもたらされる利点は、本明細書を吟味することにより更に理解され得る。
【図面の簡単な説明】
【００１１】
本明細書に組み込まれてその一部を構成する添付の図面は、１つ以上の例示的な実施形態を示しており、例示的な実施形態の説明と共に、実施形態の原理及び実装を説明する役割を果たす。
【図１】図１Ａ及び図１Ｂは、一実施形態に従って表面特徴を生成するために波形テ    ッセレーションを用いる電子装置を示す。
【図２】一実施形態に従って表面特徴を生成するために波形テッセレーションを用い    る電子装置を示す。
【図３Ａ】一実施形態に従って表面特徴を生成するために波形テッセレーションを用    いる電子装置を示す。
【図３Ｂ】一実施形態に従って表面特徴を生成するために波形テッセレーションを用    いる電子装置を示す。
【図４】一実施形態に従って表面特徴を生成するために波形テッセレーションを用い    る電子装置を示す。
【図５】一実施形態による波形テッセレーションを用いる表面特徴を生成する方法に    関するフローチャートを示す。
【図６】一実施形態による波形テッセレーションを用いる表面特徴を生成する方法に    関するフローチャートを示す。
【発明を実施するための形態】
【００１２】
例示的な実施形態は、表面特徴を生成するために波形テッセレーションを使用する装置、システム及び方法との関連で本明細書に記載される。当業者であれば、以下の記載は例示目的であり、如何なる限定も意図していないことを理解するであろう。他の実施形態も、本開示の利益を有する当業者に容易に示唆されるであろう。次に、添付の図面に示された例示的な実施形態の実装の詳細な参照が行われる。同じ参照記号が同じ又は同様の項目を参照するために図面及び以下の記載を通じて使用されるであろう。
【００１３】
明確のため、本明細書に記載の実装の定型的な特徴の全てが示されて記載されてはいない。勿論、このような実際の実装の開発において、アプリケーション及びビジネス関連の制約の遵守等の多くの実装固有の決定が開発者固有の目的を達成するために行われなければならず、こうした固有の目的は実装ごとに又は開発者ごとに変化することが理解されるであろう。
【００１４】
（例示的な装置及び実施形態）
図１Ａ及び１Ｂは、表面特徴を生成するために波形テッセレーションを使用するタッチセンサ面１００を示す。複数の実施形態において、タッチセンサ面１００は、図１Ａに示される第１の構成及び図１Ｂに示される第２の構成に成ることができる。第１の構成では、タッチセンサ面１００は平坦なトポグラフィを有してもよい。タッチセンサ面１００は、表面を画定する長さ及び幅を有してもよい。例えば、第１の構成では、表面は、完全に又は少なくとも実質的に平滑及び／又は平坦であってもよい。タッチセンサ面１００の表面の全て又は一部が、表面が第１の構成である場合に、２次元トポグラフィを有してもよい。
【００１５】
複数の実施形態において、ユーザは、表面が第１の構成である間、タッチセンサ面１００と相互作用することができる。例えば、電子装置がタッチセンサ面を有するタッチセンサ式ディスプレイを含む場合、ユーザは、ディスプレイ上の場所に接触することによって電子装置に入力を提供することが可能であってもよい。従って、キーボードの画像がディスプレイ上に表示されている場合、ユーザは、ディスプレイ上に表示された文字に対応するディスプレイの場所に触れることができる。例えば、ユーザがディスプレイに示された文字「Ａ」に対応するタッチセンサ式ディスプレイ上の場所に触れると、電子装置は、ディスプレイ上で編集されている文書に文字「Ａ」が表示されるべきであると決定してもよい。従って、複数の実施形態において、タッチセンサ面が第１の構成である場合、表面のユーザは、仮想オンスクリーンキーボードに関する仮想キーに対応する場所に触れることによって表面に入力を提供してもよい。
【００１６】
複数の実施形態において、電子装置のユーザは、仮想オンスクリーンキーボードではなく物理的キーボードを使用して装置に入力を提供することを好んでもよい。この実施形態では、表面のユーザは、可撓性タッチセンサ式ディスプレイを第２の構成にすることによってタッチセンサ面１００を物理的キーボードに変形することができる。例えば、タッチセンサ面は、表面を物理的に折り曲げ又はそれ以外の物理的な力で操作を行うことにより、ユーザが、図１Ａに示された構成のような第１の構成から図１Ｂに示された構成のような第２の構成に表面を変換することを可能にする１つ以上の折り目を有してもよい。別の例示として、タッチセンサ面１００は、表面に圧力が加えられると第１の構成から第２の構成に「ポップ」する双安定可撓性表面であってもよい。一部の実施形態では、表面は、構成が変化されるべきであるとの信号が受信されると、第１の構成から第２の構成に（又はその逆に）表面を変換する１つ以上のアクチュエータを備え又はそれらと接続される。
例えば、ユーザは、第１の構成から第２の構成にタッチセンサ面を切り替えるために電子装置のボタンを押してもよい。
【００１７】
第２の構成では、タッチセンサ面１００は隆起したトポグラフィを有してもよい。例えば、タッチセンサ面１００は、表面を画定する長さ及び幅を有してもよく、表面の少なくとも一部が隆起してもよい。従って、複数の実施形態において、表面が第２の構成である場合に、タッチセンサ面１００の表面の少なくとも一部が、３次元トポグラフィを有する。複数の実施形態において、表面１００は、第２の構成である場合に、物理的キーボードに類似する。例えば、表面は、第２の構成である場合に、キーボード上の文字「Ａ」に類似する物理的ボタンを有してもよい。複数の実施形態において、表面は、第１の構成である場合に、この物理的ボタンを有さない。従って、表面は、第１の構成である場合に利用できない第２の構成である場合に、追加の入力装置を提供することができる。例えば、ユーザは、ディスプレイが第１の構成である場合に表面に表示される仮想オンスクリーンキーに対応する表面上の場所に接触することによって表面に入力を提供してもよい。また、ユーザは、表面が第２の構成である場合に第１の構成から第２の構成に表面を変化させることによって生成される隆起した物理キーを押すことによって表面に入力を提供することができる。複数の実施形態において、表面が第１の構成である場合に１つ以上の物理的キーが存在せず、表面が第２の構成である場合にのみ存在してもよい。他の多くの例示が本明細書に開示され、他の様々な変形が本開示の範囲内にある。
【００１８】
図示の例示は、本明細書で検討される一般的な主題を読者に紹介するために与えられる。本発明は、この例示に限定されない。以下の部分では様々な追加の非限定的な実施形態、並びに触覚効果のパラメータ変更のための装置、システム及び方法の例が記載される。
【００１９】
（例示的な装置）
図２は、一実施形態に従って表面特徴を生成するために波形テッセレーションを用いる電子装置２００を示す。図２に示される実施形態では、電子装置２００は、筐体２０５、プロセッサ２１０、メモリ２２０、タッチセンサ式ディスプレイ２３０、触覚出力装置２４０、通信インターフェース２５０及びタッチセンサ面２７０を備える。更に、電子装置２００は、一部の実施形態に選択的に結合され又は組み込まれ得る触覚出力装置２６０と通信する。プロセッサ２１０はメモリ２２０と通信しており、この実施形態では、プロセッサ２１０及びメモリ２２０は共に筐体２０５の中に配置される。タッチセンサ式表面を備え又はこれと通信するタッチセンサ式ディスプレイ２３０は、タッチセンサ式ディスプレイ２３０の少なくとも一部が電子装置２００のユーザに露出されるように筐体２０５の中に部分的に配置される。一部の実施形態では、タッチセンサ式ディスプレイ２３０及び／又はタッチセンサ面２７０は、触覚出力装置２４０及び／又は触覚出力装置２６０等の１つ以上の触覚出力装置を備え又はそれらと接続される。一部の実施形態では、タッチセンサ式ディスプレイ２３０は、筐体２０５の中に配置されなくてもよい。例えば、電子装置２００は、別の筐体の中に配置されるタッチセンサ式ディスプレイ２３０と接続され又は通信してもよい。一部の実施形態では、筐体２０５は、互いにスライド可能に結合され、互いに枢動可能に結合され又は互いに解放可能に結合される２つの筐体を備えてもよい。一部の実施形態では、筐体２０５は、可撓性筐体を含む。他の実施形態では、筐体２０５は任意の数の筐体を含んでもよい。
【００２０】
図２に示される実施形態では、タッチセンサ式ディスプレイ２３０は、プロセッサ２１０と通信し、プロセッサ２１０及び／又はメモリ２２０に信号を提供し、且つプロセッサ２１０及び／又はメモリ２２０から信号を受信するように構成される。メモリ２２０は、プロセッサ２１０によって使用されるプログラムコード若しくはデータ、又はその両方を記憶するように構成される。プロセッサ２１０は、メモリ２２０に記憶されたプログラムコードを実行して、タッチセンサ式ディスプレイ２３０に信号を送信し且つタッチセンサ式ディスプレイ２３０から信号を受信するように構成される。図２に示される実施形態では、プロセッサ２１０は通信インターフェース２５０と通信し、通信インターフェース２５０から信号を受信して、１つ以上の電子装置等の他の構成要素又は装置と通信するために通信インターフェース２５０に信号を出力するように構成される。更に、プロセッサ２１０は、触覚出力装置２４０及び触覚出力装置２６０と通信し、触覚出力装置２４０若しくは触覚出力装置２６０又はその両方に１つ以上の触覚効果を出力させるための信号を出力するように更に構成される。
【００２１】
更に、プロセッサ２１０は、タッチセンサ面２７０と通信し、タッチセンサ面２７０から信号を受信するように構成される。例えば、プロセッサ２１０は、電子装置２００との１つ以上の相互作用に対応してタッチセンサ面２７０から１つ以上の信号を受信してもよい。例えば、電子装置２００のユーザが装置２００を振ると、プロセッサ２１０はタッチセンサ面２７０から１つ以上のセンサ信号を受信してもよい。別の例示として、ユーザがタッチセンサ式ディスプレイ２３０上の場所を押すと、及び／又はユーザがタッチセンサ式ディスプレイ２３０上でジェスチャを行うと、プロセッサ２１０はタッチセンサ面２７０から１つ以上のセンサ信号を受信することができる。一部の実施形態では、プロセッサ２１０は、１つ以上の相互作用を導出し又は決定するために、１つ以上のセンサからセンサ情報を受信することができる。限定されないが、相互作用は、１つの接触、一連の接触、ジェスチャ、所定の閾値を超える接触圧力、所定の閾値より低い接触圧力、タッチセンサ面への接触、タッチスクリーンディスプレイへの接触、振動、揺動、任意の他の適切な相互作用、又はこれらの組み合わせを含み得る。
【００２２】
実施形態では、プロセッサ２１０は、電子装置２００に統合され、電子装置２００に接続され、及び／又は電子装置２００と通信する１つ以上の入力装置から１つ以上のセンサ信号を受信する。例えば、プロセッサ２１０は、タッチセンサ式ディスプレイ２３０のタッチセンサ面から１つ以上のセンサ信号を受信してもよい。別の例示として、プロセッサ２１０は、キー、キーボード、ボタン、マウス、タッチパッド、トラックボール、マイクロホン、タッチセンサ面等の入力装置、並びに／又は電子装置２００に統合され、電子装置２００に接続され、及び／若しくは電子装置２００と通信する別の適切な入力装置から１つ以上のセンサ信号を受信してもよい。センサ信号は、１つ以上の接触、場所、圧力、ジェスチャ、キー押下、及び／又はユーザがどのように１つ以上の入力装置と相互作用しているかを示す他の情報等の情報を含んでもよい。実施形態では、センサ信号及び／又は受信した信号は、音声信号、映像信号、加速度信号、速度信号、温度信号、別の適切な信号、又はこれらの組み合わせを含む。次に、プロセッサ２１０は、１つ以上のセンサ、タッチセンサ面（例えば、タッチセンサ面２７０）、１つ以上の通信インターフェース（例えば、通信インターフェース２５０）、メモリ（例えば、メモリ２２０）、及び／又は別の適切な入力装置から受信する情報を利用してもよい。
【００２３】
一実施形態では、プロセッサ２１０は、電子装置２００に統合されたボタン又はキーから１つ以上のセンサ信号を受信する。例えば、ユーザは、電子装置２００の側部にある物理的ボタンを押してもよく、ボタンを押すことに応答して、１つ以上のセンサ信号がプロセッサ２１０によって受信されてもよい。一実施形態では、プロセッサ２１０によって受信される１つ以上のセンサ信号は、タッチセンサ面２７０等のタッチセンサ面及び／又はタッチセンサ式ディスプレイ２３０等のタッチセンサ式ディスプレイ（これはタッチセンサ面を含み又は接続されてもよい）が第１の構成から第２の構成に変換されるべきであることを示す。例えば、一実施形態では、タッチセンサ式ディスプレイ２３０は、ユーザがディスプレイと相互作用すると、ユーザにとってディスプレイ２３０の視認可能な部分が平坦に又は実質的に平坦に感じるように第１の構成にある。この実施形態では、ユーザは、タッチセンサ式ディスプレイ２３０を第１の構成から第２の構成に変換するために、電子装置２００におけるボタンを押してもよく、及び／又はタッチセンサ式ディスプレイ２３０における場所に接触してもよい。例えば、ユーザが電子装置２００におけるボタンを押すと、プロセッサ２１０は、ディスプレイ２３０が第１の構成から第２の構成に変換されるべきであることを示す信号を受信してもよい。この実施形態では、プロセッサは、ディスプレイの現在のレイアウトとは異なるレイアウトをディスプレイに対して決定してもよい。例えば、物理的な３次元ボタンを含む新しいレイアウトが決定されてもよく、現在のレイアウトは物理的な３次元ボタンを有さなくてもよい。別の例示として、現在のレイアウトが数字キーパッドを含んでもよく、物理的な英数字キーボードを含む新しいレイアウトが決定されてもよい。更に、プロセッサは、ディスプレイ２３０及び／又は表面２７０を現在のレイアウトから決定されたレイアウトに変換させるように構成される１つ以上の信号を生成して出力してもよい。従って、ディスプレイ２３０に対する現在のレイアウトが数字キーパッドであり且つ決定されたレイアウトが３次元英数字キーボードである場合、プロセッサ２１０は、ディスプレイ２３０を数字キーパッドから３次元英数字キーボードに変換させるように構成される１つ以上の信号を生成してもよい。他の多くの例示が本明細書に開示され、他の様々な変形が本開示の範囲内にある。
【００２４】
図２に示されている装置は単なる例示であり、様々な他の実施形態では、電子装置２００は、図２に示されているよりも少ない又は追加の構成要素及び／又は装置を含み又はこれらと通信してもよい。例えば、マウス、キーボード、カメラ及び／又は他の（複数の）入力装置等の他のユーザ入力装置が、電子装置２００の中に含まれ又は電子装置２００と通信してもよい。別の例示として、電子装置２００は、１つ、２つ又は３つ以上のセンサ及び／又は１つ、２つ又は３つ以上の触覚出力装置を備え又はこれらと通信してもよい。
別の例として、電子装置２００は、一実施形態では通信インターフェース２５０を含まなくてもよい。更に別の例示として、電子装置２００は、一実施形態では触覚出力装置２６０と通信しなくてもよい。一部の実施形態では、電子装置が、別の電子装置と接続可能なタッチセンサ面を含んでもよい。例えば、第１の構成及び第２の構成であることが可能なタッチセンサ面を備える携帯型電子装置が別の装置と接続されてもよい。この実施形態では、タッチセンサ面が第２の構成である場合、タッチセンサ面が第１の構成である場合に画定されない１つ以上の物理的キー、ボタン等が画定されてもよい。更に、この実施形態では、タッチセンサ面が第２の構成である場合に、ユーザが物理的キー、ボタン等を押す及び／又は押し下げることによって他の装置に入力を提供してもよい。他の多くの例示が本明細書に開示され、他の様々な変形が本開示の範囲内にある。
【００２５】
複数の実施形態において、タッチセンサ面は、任意の数の構成をとることができる。例えば、本明細書で検討されたように、一実施形態では、タッチセンサ面は、第１の構成及び第２の構成をとることができる。この実施形態では、タッチセンサ面は、第２の構成において、タッチセンサ面が第１の構成である場合には画定されない入力装置を画定してもよい。様々な実施形態において、タッチセンサ面は、２つ、３つ又は４つ以上の異なる構成をとることができる。一部の実施形態では、１つ以上の入力装置は、タッチセンサ面が１つ以上の他の構成である場合には画定されない特定の構成である場合に画定される。例えば、一実施形態では、タッチセンサ面は、第１の構成である場合に、タッチセンサ面が第２の構成である場合には画定されない物理的キーを画定してもよい。同様に、一実施形態では、タッチセンサ面は、第２の構成である場合に、タッチセンサ面が第１の構成である場合には画定されない異なる物理的キーを画定してもよい。他の多くの例示が本明細書に開示され、他の様々な変形が本開示の範囲内にある。
【００２６】
また、様々な他の構成要素が修正されてもよい。例えば、一部の実施形態では、タッチセンサ面２７０が、筐体２０５内に部分的に又は完全に配置される。別の例示として、タッチセンサ面２７０は、電子装置２００の筐体２０５内に配置されてもよい。一実施形態では、電子装置２００は、触覚出力装置２６０と通信せず、通信インターフェース２５０を備えない。別の実施形態では、電子装置２００は、タッチセンサ式ディスプレイ２３０又は通信インターフェース２５０を備えないが、タッチセンサ式表面を備え、外部ディスプレイと通信する。他の実施形態では、電子装置２００は、触覚出力装置を全く備えず又はこれと通信しなくてもよい。一実施形態では、電子装置２００は、タッチセンサ面が第２の構成である場合に他の装置に入力を提供するために別の装置と接続され得る可撓性タッチセンサ面である。この実施形態では、電子装置２００は、タッチセンサ面を第１の構成から第２の構成に変換することができる１つ以上のアクチュエータ又は他の触覚出力装置を備え又は接続されてもよい。一部の実施形態では、電子装置２００は、タッチセンサ面を第２の構成から第１の構成に変換することができる１つ以上のアクチュエータ又は他の触覚出力装置を備え又は接続されてもよい。様々な実施形態において、本明細書に開示の様々な実施形態及び当業者には明白である変形等、様々な実施形態において、電子装置２００は、任意の数の構成要素を備え又はこれらと通信してもよい。
【００２７】
複数の実施形態において、電子装置２００は、ユーザ入力を受信することが可能であり、第１の構成及び第２の構成であることが可能である任意の装置であってもよく、この電子装置は、第２の構成である場合に、電子装置が第１の構成である場合には提供されないボタン、キー等の１つ以上の入力装置を提供する。例えば、図２における電子装置２００は、タッチセンサ式表面を備えるタッチセンサ式ディスプレイ２３０を含む。一部の実施形態では、タッチセンサ式表面は、タッチセンサ式ディスプレイ２３０上にオーバレイされてもよい。他の実施形態では、電子装置２００は、ディスプレイ及び別のタッチセンサ式表面を備え又はこれらと通信してもよい。更に他の実施形態では、電子装置２００は、ディスプレイを備え又はこれと通信してもよく、マウス、キーボード、キー、ボタン、ノブ、スライダ制御、スイッチ、ホイール、ローラ、他の操作子、又はこれらの組み合わせ等の他のユーザ入力装置を備え又はこれらと通信してもよい。
【００２８】
一部の実施形態では、１つ以上のタッチセンサ式表面は、電子装置２００の１つ以上の側部に含まれ又は中に配置されてもよい。例えば、一実施形態では、タッチセンサ式表面は、電子装置２００の後面の中に配置され又はこれを備える。別の実施形態では、第１のタッチセンサ式表面は、電子装置２００の後面の中に配置され又はこれを備え、第２のタッチセンサ式表面は、電子装置２００の側面の中に配置され又はこれを備える。一部の実施形態では、電子装置２００は、二つ折り（ｃｌａｍｓｈｅｌｌ）配置又はスライド式配置等で２つ以上の筐体要素を備えてもよい。例えば、一実施形態は、タッチセンサ式ディスプレイが二つ折りの各部分に配置される二つ折り構成を有する電子装置２００を備える。更に、電子装置２００が電子装置２００の１つ以上の側部に少なくとも１つのタッチセンサ式表面を備える実施形態において、又は電子装置２００が外部のタッチセンサ式表面と通信する実施形態において、ディスプレイ２３０は、タッチセンサ式表面を備えてもよく又は備えなくてもよい。一部の実施形態では、１つ以上のタッチセンサ式表面は、１つのタッチセンサ式表面を有してもよい。このような実施形態では、ユーザは、入力方法としてタッチセンサ式表面を折り曲げ又は変形することができてもよい。例えば、一実施形態では、電子装置はタッチスクリーンディスプレイを有し、ユーザは情報を電子装置に入力するためにタッチスクリーンディスプレイ上の場所を押すことによってタッチスクリーンディスプレイを変形することができる。他の実施形態では、１つ以上のタッチセンサ式表面は、剛性であってもよい。様々な実施形態では、電子装置２００は、柔軟性及び剛性の双方のタッチセンサ式表面を備えてもよい。
【００２９】
図２に示された電子装置２００の筐体２０５は、構成要素の少なくとも一部に対する保護を電子装置２００に提供する。例えば、筐体２０５は、雨等の外来物からプロセッサ２１０及びメモリ２２０を保護するプラスチックケースであってもよい。一部の実施形態では、筐体２０５は、電子装置２００がユーザによって落とされた場合の損傷から筐体２０５内の構成要素を保護する。筐体２０５は、限定されないが、プラスチック、ゴム又は金属等を含む任意の適切な材料から作られ得る。一実施形態では、筐体は可撓性である。例えば、筐体は、ハウスにおけるタッチセンサ面が第１の構成から第２の構成に変換される場合に折り曲げられ又は変形されてもよい。様々な実施形態は、異なる種類の筐体又は複数の筐体を含んでもよい。例えば、一部の実施形態では、電子装置２００は、携帯装置、ハンドヘルド装置、玩具、ゲームコンソール、ハンドヘルドビデオゲームシステム、ゲームパッド、ゲームコントローラ、デスクトップコンピュータ、携帯電話等の携帯型多機能装置、スマートフォン、ＰＤＡ（ｐｅｒｓｏｎａｌ  ｄｉｇｉｔａｌ  ａｓｓｉｓｔａｎｔ）、ｅリーダー（ｅＲｅａｄｅｒ）、携帯型読書装置、ラップトップ、タブレットコンピュータ、デジタル音楽プレーヤ、リモートコントロール、医療機器等であってもよい。
他の多くの例示が本明細書に開示され、他の様々な変形が本開示の範囲内にある。
【００３０】
図２に示される実施形態では、タッチセンサ式ディスプレイ２３０は、ユーザが電子装置２００と相互作用するための機構を提供する。例えば、タッチセンサ式ディスプレイ２３０は、ユーザがタッチセンサ式ディスプレイ２３０上を覆うこと、接触すること、又は押すこと（これらは全て、本明細書では接触と呼ばれる）に応じてユーザの指の場所若しくは圧力、又はその両方を検出する。一部の実施形態では、タッチセンサ式ディスプレイ２３０は、タッチセンサ式ディスプレイ２３０上の１つ以上の接触の場所、圧力、接触面の大きさ、又はこれらの全てを決定する１つ以上のセンサを備え、これらと接続され又は通信してもよい。例えば、一実施形態では、タッチセンサ式ディスプレイ２３０は、相互キャパシタンス（ｍｕｔｕａｌ  ｃａｐａｃｉｔａｎｃｅ）システムを備え又はこれと通信する。別の実施形態では、タッチセンサ式ディスプレイ２３０は、絶対キャパシタンス（ａｂｓｏｌｕｔｅ  ｃａｐａｃｉｔａｎｃｅ）システムを備え又はこれと通信する。一部の実施形態では、タッチセンサ式ディスプレイ２３０は、抵抗性パネル、容量性パネル、赤外線ＬＥＤ、光検出器、画像センサ、光学カメラ、又はこれらの組み合わせを備え又はこれらと通信してもよい。従って、タッチセンサ式ディスプレイ２３０は、例えば、抵抗性、容量性、赤外線、光学、熱、分散信号、又は音響パルス技術、又はこれらの組み合わせ等のタッチセンサ式表面上の接触を決定するための任意の適切な技術を組み込んでもよい。一部の実施形態では、ディスプレイはタッチセンサ式ではない。他の実施形態では、電子装置２００は、ディスプレイを有していない。
【００３１】
一実施形態では、タッチセンサ面２７０は、少なくとも第１の構成になることが可能である。例えば、タッチセンサ面２７０は、第１の構成である場合にタッチセンサ面が平坦又は実質的に平坦であるように構成され得る。別の例示として、タッチセンサ面２７０は、タッチセンサ面２７０が第１の構成である場合に平坦又は実質的に平坦である露出した表面を有してもよい。一実施形態では、タッチセンサ面は、第１の構成である場合に入力手段を有さない。例えば、第１の構成では、タッチセンサ面２７０は、キー、ボタン、及び／又はユーザが相互作用する又は押すタッチセンサ面２７０上の場所を提供しなくてもよい。一部の実施形態では、タッチセンサ面２７０は、第１の構成である場合に１つ以上の入力手段を提供してもよい。例えば、タッチセンサ面２７０は、１つ以上のキー、ボタン、及び／又はタッチセンサ面２７０が第１の構成である場合にユーザが相互作用する又は押すことができるタッチセンサ面２７０上の場所を提供してもよい。
【００３２】
一部の実施形態では、タッチセンサ面２７０は、少なくとも第１の構成とは異なる第２の構成になることが可能である。例えば、タッチセンサ面２７０は、第２の構成である場合にタッチセンサ面の少なくとも一部が隆起する又は３次元であるように構成され得る。
別の例示として、タッチセンサ面２７０は、タッチセンサ面２７０が第２の構成である場合に隆起する又は３次元である露出した表面を有してもよい。一実施形態では、タッチセンサ面２７０は、第２の構成である場合に、タッチセンサ面が第１の構成である場合には存在しない入力手段を有する。例えば、第１の構成では、タッチセンサ面２７０は、装置に入力を提供するためにユーザが相互作用する又は押すことができるキー、ボタン、及び／又はタッチセンサ面２７０上の場所を画定しなくてもよい。この実施形態では、タッチセンサ面２７０が第２の構成である場合に、タッチセンサ面の少なくとも一部は、ユーザが装置に入力を提供するために押す及び／又は押し下げることができる物理的キー、物理的ボタン等を画定してもよい。
【００３３】
他の実施形態では、タッチセンサ面２７０は、第１の構成である場合に１つ以上の入力手段を及び第２の構成である場合に１つ以上の異なる入力手段を提供してもよい。例えば、タッチセンサ面２７０が第１の構成である場合に、ユーザは、装置に入力を提供するためにタッチセンサ面２７０上の場所に接触することが可能であってもよい。この実施形態では、タッチセンサ面２７０が第２の構成である場合に、タッチセンサ面２７０によって、ユーザが装置に入力を提供するために押す及び／又は押し下げることができる隆起した３次元のキーが画定されてもよい。様々な実施形態において、ユーザが、タッチセンサ面２７０が第２の構成である場合にタッチセンサ面２７０上の場所に接触することによって装置に入力を提供することが可能であり又は可能でなくてもよい。従って、複数の実施形態において、タッチセンサ面２７０が第２の構成である場合、１つ以上の入力手段及び／又は入力装置は、タッチセンサ面２７０が第１の構成である場合に画定される又は提供される入力手段及び／又は入力装置に加えて及び／又は異なる１つ以上の入力手段及び／又は入力装置が画定され又は提供される。他の多くの例示が本明細書に開示され、他の様々な変形が本開示の範囲内にある。
【００３４】
一部の実施形態では、タッチセンサ面２７０は、タッチセンサ面が第２の構成である場合に少なくとも第１の部分及び第２の部分を含む。例えば、一実施形態では、タッチセンサ式ディスプレイ２３０は、タッチセンサ式ディスプレイ２３０が第２の構成である場合に、タッチセンサ式ディスプレイ２３０の第１の部分でコンテンツを表示するように構成される視認可能部分及びタッチセンサ式ディスプレイ２３０の第２の部分で入力を受信するように構成される第２の部分を提供する。複数の実施形態において、タッチセンサ式ディスプレイが第２の構成である場合に、第２の部分は、１つ以上の物理的な３次元キー、ボタン等を定義する。一実施形態では、ディスプレイ２３０の第１の部分及び第２の部分は、ディスプレイ２３０が第２の構成である場合に、互いに対して角度が付けられる。例えば、ディスプレイ２３０の第１の部分は、ユーザがディスプレイの第１の部分に表示されているコンテンツを見ることができると共に、ディスプレイの第２の部分を使用してタイピングでき又はそれ以外の入力を提供することができるように、ディスプレイの第２の部分に対して角度が付けられる。別の例示として、第１及び第２の部分は、開いたクラムシェルと同様に角度が付けられ得る。ここで、ディスプレイの第１の部分は開いたクラムシェルの第１の部分にあり、ディスプレイの第２の部分はクラムシェルの第２の部分にある。様々な実施形態において、ディスプレイ２３０の第１及び第２の部分の間の相対角度は、限定されないが、３０度、４５度、６０度、７５度等を含む任意の数の角度であり得る。他の多くの例示が本明細書に開示され、他の様々な変形が本開示の範囲内にある。
【００３５】
様々な実施形態において、タッチセンサ式ディスプレイ２３０及び／又はタッチセンサ面２７０は、様々なやり方で第１の構成から第２の構成に変換され得る。一実施形態では、第１の構成から第２の構成への変換を支援するために、１つ以上の折り目がタッチセンサ式ディスプレイ２３０及び／又はタッチセンサ面２７０に組み込まれ得る。例えば、図３Ａ及び３Ｂは、一実施形態に従って表面特徴を生成するために波形テッセレーションを用いる電子装置３００を示す。図３Ａに示される実施形態では、電子装置３００は、複数の折り目３１０−３２５を含む表面３０５を備える。１つ以上の折り目（例えば、図３Ａの３１０−３２５）は、適切な圧力量によって、折り曲げられ、又は図３Ａに示された第１の構成等の第１の構成から図３Ｂに示された構成等の第２の構成へと変形するように戦略的に配置されてもよい。一部の実施形態では、１つ以上の折り目（例えば、図３Ａの３１０−３２５）は、第１の構成から第２の構成への変換を支援する組み込み圧力を有してもよい。例えば、折り目３１０−３２５は、図３Ａの矢印で表された折り目に適切な力が加えられると、表面３０５が図３Ｂに示された第２の構成をとるように既定の圧力を有し得る。従って、一実施形態では、表面３０５に適切な力が加えられると、折り目３１０−３２５は、図３Ａに示された第１の構成から図３Ｂに示された第２の構成へと表面３０５を「折る（ｓｎａｐ）」することができる。他の多くの例示が本明細書に開示され、他の様々な変形が本開示の範囲内にある。
【００３６】
図３Ａに示される実施形態では、電子装置３００は、第１の構成から第２の構成へ及び／又はその逆への変換を支援するために複数のアクチュエータ３３０−３４５を備える。
この実施形態では、それぞれ折り目３１０及び３１５に沿って配置される図３Ａに示されるアクチュエータ３３０及び３３５のように、１つ以上のアクチュエータが折り目に沿って戦略的に配置されてもよい。一部の実施形態では、それぞれ折り目３２０及び３２５に沿って配置される図３Ａに示されるアクチュエータ３４０及び３４５のように、１つ以上のアクチュエータは折り目を横断して配置され得る。一実施形態では、アクチュエータは、折り目３１０−３２５に適切な力を加えて、図３Ａに示された第１の構成から図３Ｂに示された第２の構成へと表面３０５を変形する。例えば、表面が第１の構成から第２の構成に変形すべきことを示す信号を電子装置３００が受信すると、１つ以上の信号がアクチュエータ３３０−３４５に送信されることで、アクチュエータにより折り目に適切な力を加えさせることができる。従って、一実施形態では、電子装置３００は、表面３０５を第１の構成から第２の構成へと及び／又はその逆へと電子的に変換することができる。他の実施形態では、表面３０５が第１の構成の代わりに第２の構成をとるように、電子装置３００のユーザが手動で力を加えることができる。他の多くの例示が本明細書に開示され、他の様々な変形が本開示の範囲内にある。
【００３７】
図４は、１つ以上のアクチュエータを有する可撓性表面４１０を備える電子装置４００の例示である。図４に示される実施形態では、可撓性表面４１０は、アクチュエータ４２０、４３０及び４４０に接続され又は取り付けられる。そのアクチュエータは、一実施形態に従って、実質的に平坦な構成等の第１の構成から図４に示される構成等の第２の構成へ及び／又はその逆への変換を支援することができる。様々な実施形態において、可撓性表面１００は、上面、裏面に取り付けられ、及び／又は表面内の層及び／又は物質として接着されるアクチュエータ４２０−４４０等の１つ以上のアクチュエータを有し得る。他の実施形態では、任意の数のアクチュエータが使用されてもよい。例えば、図４における可撓性表面４１０は、３つのアクチュエータ４２０、４３０及び４４０と接続される。他の実施形態では、１つ又は２つのアクチュエータのみが可撓性表面に接続され又は取り付けられてもよい。更に他の実施形態では、４つ、５つ又は６つ以上のアクチュエータが可撓性表面に取り付けられてもよい。
【００３８】
図４では、アクチュエータ４２０、４３０、４４０は活性化されることで、表面の構成が第１の構成から第２の構成に変化するように可撓性表面４１０を折り曲げさせることができる。例えば、複数の実施形態において、アクチュエータは、活性化されると、実質的に平坦な表面から検知可能な３次元起伏表面に可撓性表面４１０を変化させる。複数の実施形態において、意図した位置での座屈を促進するために可撓性表面における１つ以上の折り目が使用される。例えば、可撓性表面における１つ以上の折り目は、可撓性表面が第１の構成から第２の構成へ及び／又はその逆へと変化され得るように、意図した頂上及び谷間での座屈を促進するために使用することができる。一部の実施形態では、可撓性表面４１０は、装置４００のユーザに不可視である１つ以上の折り目を有し得る。他の実施形態では、可撓性表面４１０における１つ以上の折り目は可視であってもよい。更に他の実施形態では、可撓性表面４１０は、折り目を全く有していなくてもよい。他の多くの例示が本明細書に開示され、他の様々な変形が本開示の範囲内にある。
【００３９】
再び図３Ａ及び３Ｂに戻ると、複数の実施形態において、電子装置３００は、図３Ａに示された構成等の第１の構成及び図３Ｂに示された構成等の第２の構成をとることができる。図３Ａでは、第１の構成は、平坦又は実質的に平坦な表面３０５を含む。例えば、図３Ａでは、電子装置３００のユーザが表面３０５に接触して表面３０５を横切って動く（例えば、指によって表面上でジェスチャを行う）場合、表面はユーザにとって円滑に感じられてもよい。図３Ｂでは、第２の構成は、平坦又は３次元の表面３０５を含む。例えば、図３Ｂに示される実施形態では、表面が第２の構成であるときにユーザが電子装置３００の表面に接触すると、ユーザは、表面が平坦又は実質的に平坦ではないことを感じることができる。むしろ、図３Ｂに示されるように、表面は、電子装置の表面が第２の構成である場合に押すことができる文字「Ａ」に対応する３次元物理的ボタンである入力装置を画定する。図３Ａ及び３Ｂに示される実施形態では、表面は、図３Ａの第１の構成である場合に、図３Ｂの第２の構成である場合に画定される３次元物理的ボタンを画定しない。
このように、複数の実施形態において、表面３０５は、第１の構成及び第２の構成をとることができる。更に、複数の実施形態において、表面３０５は、第１の構成である場合に定義されない入力装置を第２の構成である場合に定義する。一部の実施形態では、ユーザは、表面が第２の構成をとる場合に画定される１つ以上の入力装置と相互作用することができる。例えば、図３Ｂでは、ユーザは、表面３０５が第２の構成である場合に画定されるボタンを押すことによって電子装置３００において文字「Ａ」をタイピングすることが可能であってもよい。他の多くの例示が本明細書に開示され、他の様々な変形が本開示の範囲内にある。
【００４０】
再び図２を参照すると、一実施形態では、タッチセンサ式ディスプレイ２３０及び／又はタッチセンサ面２７０は、ディスプレイ２３０及び／又は表面２７０を第１の構成から第２の構成に変換するように構成されるホルダの中に配置され得る。例えば、ユーザは、ディスプレイホルダとディスプレイ２３０を接続するためにディスプレイ２３０及びディスプレイホルダに圧力を加えてもよい。そのようにして、ディスプレイ２３０は、ディスプレイホルダの中にスナップし又はディスプレイホルダと接続することで、第１の構成から第２の構成への変換を支援してもよい。例えば、ディスプレイホルダは、平坦又は実質的に平坦な第１の構成から波形形状を有する第２の構成へとディスプレイ２３０の変換を促進又は強制するようにディスプレイの端部を押し下げてもよい。
【００４１】
別の実施形態では、タッチセンサ式ディスプレイ２３０及び／又はタッチセンサ面２７０は、第１の構成から第２の構成への変換を支援する組み込み圧力を有する１つ以上の折り目を含む。例えば、タッチセンサ面２７０は、それぞれ既定の張力が折り目に組み込まれた１つ以上の折り目を有してもよい。この実施形態では、ユーザがタッチセンサ面２７０を折り曲げ、操作し又は適切な量の力を加えると、表面２７０は第１の構成から第２の構成に変換されてもよい。一実施形態では、タッチセンサ面２７０は、第２の構成から第１の構成へと劣化する。例えば、一旦タッチセンサ面２７０が第２の構成になると、タッチセンサ面が第２の構成を維持するために追加の力を加えることによって周期的に修正する必要があってもよい。他の実施形態では、一旦タッチセンサ面２７０が第２の構成になると、表面２７０を第２の構成から第１の構成に変換するために適切な量の圧力が加えられるまで第２の構成を維持する。他の多くの例示が本明細書に開示され、他の様々な変形が本開示の範囲内にある。
【００４２】
複数の実施形態において、タッチセンサ式ディスプレイ２３０及び／又はタッチセンサ面２７０に組み込まれた（複数の）折り目が双安定装置を提供してもよい。例えば、タッチセンサ面２３０は、第１の安定構成と第２の安定構成との間で変換されるように構成されてもよい。一実施形態では、タッチセンサ式ディスプレイ２３０は、少なくとも部分的には組み込み張力を有する１つ以上の折り目のために第１の構成であるためのプリファレンスを有してもよい。この実施形態では、タッチセンサ式ディスプレイ２３０は、ディスプレイ２３０の１つ以上の場所で特定量の転位力が加えられるまで第１の構成のままであってもよい。一部の実施形態では、転位力がディスプレイ２３０に加えられると、折り目は急速に他の構成に「引き込まれ（ｐｕｌｌ  ｉｎ）」又は「スナップ」し、それによってディスプレイを第２の構成に変換させる。例えば、ディスプレイ２３０は、平坦又は実質的に平坦であり、この構成であるためのプリファレンスを有してもよい。しかしながら、この実施形態では、ユーザがディスプレイを折り曲げ又は１つ以上の特定の場所でディスプレイに力を加えると、ディスプレイが第２の構成にスナップするように、１つ以上の折り目がディスプレイ２３０に戦略的に配置され得る。様々な実施形態において、第２の構成は、ディスプレイ２３０が第２の構成である場合にユーザが装置に入力を提供するために相互作用することができる１つ以上のキー、ボタン等を画定する。この実施形態では、ディスプレイ２３０は、折り目に組み込まれた張力のために第１の構成に再び変換されるまで第２の構成のままであってもよい。他の多くの例示が本明細書に開示され、他の様々な変形が本開示の範囲内にある。
【００４３】
一実施形態では、第１の構成から第２の構成への変換を支援するために、１つ以上のアクチュエータ又は他の適切な装置がタッチセンサ式ディスプレイ２３０及び／又はタッチセンサ面２７０に組み込まれ又は接続される。例えば、１つ以上のアクチュエータは、１つ以上のアクチュエータが作動されると、タッチセンサ面２７０を第１の構成から第２の構成へ変換させるように、タッチセンサ面２７０上の複数の折り目の間に戦略的に配置されてもよい。別の例示として、１つ以上のアクチュエータはタッチセンサ面２７０上の複数の折り目を横断して配置されてもよく、１つ以上のアクチュエータが作動されると、タッチセンサ面２７０を第１の構成から第２の構成へ変換させる。他の実施形態では、１つ以上のアクチュエータは、タッチセンサ面２７０を第２の構成から元の第１の構成に変換させるように構成され得る。様々な実施形態において、第１の構成から第２の構成へ（又はその逆に）ディスプレイ２３０及び／又は表面２７０の変換を行い又は支援するようにタッチセンサ式ディスプレイ２３０及び／又はタッチセンサ面２７０の１つ以上の折り目に力を加えるために、限定されないが、アクチュエータ及び本明細書に開示の様々な触覚出力装置を含む任意の適切な装置が使用され得る。他の多くの例示が本明細書に開示され、他の様々な変形が本開示の範囲内にある。
【００４４】
複数の実施形態において、タッチセンサ式ディスプレイ２３０及び／又はタッチセンサ面２７０が第２の構成である場合に、様々なやり方で入力が提供され得る。先に検討されたように、ディスプレイ２３０及び／又は表面２７０が第２の構成である場合、１つ以上のキー、ボタン等が画定され得る。この実施形態では、ユーザは、画定されたキー、ボタン等を押す及び／又は押し下げることによって装置に入力を提供することができる。一実施形態では、キー、ボタン等が押された又は押し下げられたかどうかを決定するために第２の構成である場合にディスプレイ及び／又は表面によって画定された複数の特定の場所への力の行使を区別するために、容量性検知が使用され得る。別の実施形態では、ディスプレイ２３０及び／又は表面２７０の変換は、第２の構成である場合にディスプレイ２３０及び／又は表面２７０によって画定される１つ以上のキー、ボタン等における関連動作を感知するために使用され得る容量性検知フィールドを提供する。更に別の実施形態では、薄型の可撓性アクチュエータが、圧力を検出することで、第２の構成である場合にディスプレイ２３０及び／又は表面２７０により画定されるキー、ボタン等に対するキー押下検出器として機能することができる。一部の実施形態では、タッチセンサ式ディスプレイ２３０及び／又はタッチセンサ面が第２の構成である場合に、１つ以上のアクチュエータ又は他の適切な装置が、１つ以上のキー、ボタン等に対する３次元起伏を提供するために使用可能であり、入力を検出するために使用されてもよい。例えば、ディスプレイ２３０及び／又は表面が第２の構成である場合にユーザが十分な力でキーを押すと、キーは「退く（ｇｉｖｅ  ｗａｙ）」のであってもよい。他の多くの例示が本明細書に開示され、他の様々な変形が本開示の範囲内にある。
【００４５】
図２に示された実施形態では、触覚出力装置２４０及び２６０は、プロセッサ２１０と通信して、１つ以上の触覚効果を提供するように構成される。例えば、一実施形態では、プロセッサ２１０によって、作動信号が触覚出力装置２４０、触覚出力装置２６０、又はその両方に提供されると、各触覚出力装置２４０、２６０は、作動信号に基づいて触覚効果を出力する。例えば、図示の実施形態では、プロセッサ２１０は、アナログ駆動信号を含む触覚出力装置２４０に触覚出力信号を送信するように構成される。一部の実施形態では、プロセッサ２１０は、触覚出力装置２６０にコマンドを送信するように構成される。
コマンドは、触覚出力装置２６０に触覚効果を出力させる適切な駆動信号を生成するために使用されるパラメータを含む。他の実施形態では、異なる信号及び異なる信号タイプが１つ以上の触覚出力装置の各々に送信されてもよい。例えば、一部の実施形態では、プロセッサは、触覚出力装置を駆動して触覚効果を出力するために低レベル駆動信号を送信してもよい。このような駆動信号は、増幅器によって増幅されてもよく、又は駆動される特定の触覚出力装置に対応する適切なプロセッサ又は回路を使用してデジタルからアナログ信号に又はアナログからデジタル信号に変換されてもよい。
【００４６】
触覚出力装置２４０又は２６０等の触覚出力装置は、１つ以上の触覚効果を出力することが可能な任意の構成要素又は構成要素の集合であり得る。例えば、触覚出力装置は、限定されないが、偏心回転質量（ＥＲＭ）アクチュエータ、線形共振アクチュエータ（ＬＲＡ）、圧電性アクチュエータ、音声コイルアクチュエータ、電気活性ポリマ（ＥＡＰ）アクチュエータ、形状記憶合金、ページャ、ＤＣモータ、ＡＣモータ、可動磁石アクチュエータ、Ｅコアアクチュエータ、スマートゲル、静電アクチュエータ、電気触覚アクチュエータ、変形可能表面、静電摩擦（ＥＳＦ）装置、超音波摩擦（ＵＳＦ）装置、又は触覚出力装置の機能を実行する若しくは触覚効果を出力ことができる任意の他の触覚出力装置若しくは構成要素の集合を含む様々な種類の１つであり得る。複数の触覚出力装置又は異なる大きさの触覚出力装置が、所定範囲の振動周波数を提供するために使用されてもよく、個々に又は同時に作動されてもよい。様々な実施形態が、単一又は複数の触覚出力装置を含んでもよく、同じ種類の又は異なる種類の触覚出力装置の組み合わせを有してもよい。
一部の実施形態では、１つ以上の触覚出力装置は、有線又は無線通信等の電子装置と直接又は間接的に通信する。一実施形態では、電子装置は車内に配置され又は車両に統合され得る。また、１つ以上の触覚出力装置が車両に組み込まれる。例えば、１つ以上の触覚出力装置が、車両の座席、ハンドル、ペダル等に組み込まれてもよい。一部の実施形態では、触覚出力装置２４０及び／又は触覚出力装置２６０を有する代わりに、又は触覚出力装置２４０及び／又は触覚出力装置２６０を有することに加えて、電子装置２００は１つ以上の他の出力装置を有する。例えば、電子装置２００は、スピーカ及び／又はディスプレイを有してもよい。一実施形態では、電子装置２００は、１つ以上の触覚出力装置、１つ以上のスピーカ、及び１つ以上のディスプレイを有する。他の多くの例示が本明細書に開示され、他の様々な変形が本開示の範囲内にある。
【００４７】
様々な実施形態では、１つ以上の触覚効果が、様々な手法で又は手法の組み合わせで生成されてもよい。例えば、一実施形態では、偏心質量を回転させることにより又は質量を線形的に振動させること等により、１つ以上の振動が触覚効果を生成するために使用されてもよい。一部のこうした実施形態では、触覚効果は、電子装置全体に又は電子装置の表面のみ若しくは限定された部分に振動を与えるように構成されてもよい。別の実施形態では、２つ以上の構成要素間の摩擦又は少なくとも１つの構成要素と少なくとも１つの接触との間の摩擦が、構成要素の動きに抵抗を与え又はトルク等を与えるために、移動する構成要素にブレーキを加えること等によって、触覚効果を生成するために使用されてもよい。振動効果を生成するために、多くの装置が何らかの種類のアクチュエータ及び／又は他の触覚出力装置を利用する。このために使用される既知の触覚出力装置は、偏心質量がモータによって動かされるＥＲＭ（Ｅｃｃｅｎｔｒｉｃ  Ｒｏｔａｔｉｎｇ  Ｍａｓｓ）、バネに取り付けられた質量が前後に駆動されるＬＲＡ（Ｌｉｎｅａｒ  Ｒｅｓｏｎａｎｔ
Ａｃｔｕａｔｏｒ）、又は圧電性物質、電気活性ポリマ若しくは形状記憶合金等の「スマート材料」を含む。
【００４８】
他の実施形態では、触覚効果を生成するために、１つ以上の構成要素の変形が使用され得る。例えば、表面の形状又は表面の摩擦係数を変えるために、１つ以上の触覚効果が出力されてもよい。一実施形態では、表面の摩擦を変更するために使用される静電力及び／又は超音波力を生成することによって、１つ以上の触覚効果が生成される。他の実施形態では、触覚効果を生成するために、スマートゲルを含む１つ以上の領域等の透明変形要素の配列が使用されてもよい。また、触覚出力装置は、静電摩擦（ｅｌｅｃｔｒｏｓｔａｔｉｃ  ｆｒｉｃｔｉｏｎ；ＥＳＦ）、超音波表面摩擦（ｕｌｔｒａｓｏｎｉｃ  ｓｕｒｆａｃｅ、ＵＳＦ）、又は超音波触覚トランスデューサによる音響放射圧を含むもの、又は触覚基板及び可撓性若しくは変形可能表面を使用するもの、又は空気ジェットを使用する空気の吹き出し等の投射触覚出力を提供するものを広く含む。一部の実施形態では、触覚効果は運動感覚効果である。
【００４９】
図２では、通信インターフェース２５０は、プロセッサ２１０と通信し、電子装置２００から他の構成要素又は他の装置に有線又は無線通信を提供する。例えば、通信インターフェース２５０は、電子装置２００と無線センサ又は無線作動装置との間の無線通信を提供してもよい。一部の実施形態では、通信インターフェース２５０は、個々の装置においてユーザが互いと相互作用することを可能にするために、別の電子装置２００等の１つ以上の他の装置に通信を提供してもよい。通信インターフェース２５０は、複圧式タッチセンサ式入力電子装置２００が別の構成要素又は装置と通信することを可能にする任意の構成要素又は構成要素の集合であり得る。例えば、通信インターフェース２５０は、ＰＣＩネットワークアダプタ、ＵＳＢネットワークアダプタ、又はＥｔｈｅｒｎｅｔ（登録商標）アダプタを含んでもよい。通信インターフェース２５０は、８０２．１１ａ、ｇ、ｂ又はｎ標準を含む無線Ｅｔｈｅｒｎｅｔ（登録商標）を使用して通信してもよい。一実施形態では、通信インターフェース２５０は、無線周波数（ＲＦ）、Ｂｌｕｅｔｏｏｔｈ（登録商標）、ＣＤＭＡ、ＴＤＭＡ、ＦＤＭＡ、ＧＳＭ（登録商標）、ＷｉＦｉ、衛星又は他のセルラ若しくは無線技術を使用して通信できる。他の実施形態では、通信インターフェース２５０は、有線接続を介して通信してもよく、Ｅｔｈｅｒｎｅｔ（登録商標）、トークンリング、ＵＳＢ、ＦｉｒｅＷｉｒｅ１３９４、光ファイバ等の１つ以上のネットワークと通信してもよい。一部の実施形態では、電子装置２００は、単一の通信インターフェース２５０を備える。他の実施形態では、電子装置２００は、２つ、３つ又は４つ以上の通信インターフェースを備える。従って、実施形態では、電子装置２００は、１つ以上の通信インターフェースを介して１つ以上の構成要素及び／又は装置と通信することができる。他の実施形態では、電子装置２００は、通信インターフェース２５０を含まなくてもよい。
【００５０】
図２では、タッチセンサ面２７０は、プロセッサ２１０と通信して、プロセッサ２１０にセンサ情報を提供する。例えば、タッチセンサ面２７０は、１つ以上の相互作用をプロセッサ２１０に提供してもよい。タッチセンサ面２７０は、１つ以上の相互作用を示す入力信号を提供してもよい。別の例示として、タッチセンサ面２７０は、電子装置２００との１つ以上の相互作用に対応する情報をプロセッサ２１０に提供することができる。一部の実施形態では、タッチセンサ面２７０がプロセッサ２１０に提供する情報は、ユーザが電子装置２００を振る等の電子装置２００全体との相互作用に対応する。他の実施形態では、タッチセンサ面２７０がプロセッサ２１０に提供する情報は、タッチセンサ式ディスプレイ２３０又は別の適切な入力装置等の電子装置２００の一部との相互作用に対応する。
【００５１】
図２に示された実施形態は、単一のタッチセンサ面２７０を描いている。一部の実施形態では、多数のセンサが使用され得る。更に、センサは、電子装置２００の他の構成要素と同じ構成要素の中に又は別の構成要素の中に収容されてもよい。例えば、一部の実施形態では、プロセッサ２１０、メモリ２２０、及びタッチセンサ面２７０は、携帯型ミュージックプレーヤ、携帯電話、及び／又は装着可能装置等の電子装置２００の中に全て含まれる。一部の実施形態では、センサは、メモリ及び／又はプロセッサを収容する他の構成要素とは別の構成要素に配置される。例えば、装着可能なセンサが、有線又は無線接続を介してプロセッサ及びメモリ又は電子装置と通信してもよい。
【００５２】
電子装置２００は、任意の数及び／又は種類の感知要素を含んでもよい。例えば、電子装置２００は、加速度計及び／又はジャイロスコープを含み得る。センサ及び相互作用の例示の非限定的なリストが以下に示される。
【００５３】
【表１】
2019145146.tif 000003
【００５４】
（表面特徴を生成するために波形テッセレーションを使用する例示的な方法）
図５は、一実施形態による表面特徴を生成するために波形テッセレーションを使用する方法５００に関するフローチャートを示す。図５に示される方法５００は、図２に示される電子装置２００に関して記載される。
【００５５】
方法５００は、１つ以上の信号が受信されるとブロック５１０で開始する。例えば、図２に示された装置におけるボタンが押されてもよく、これにより１つ以上の信号がプロセッサ２１０に送信される。別の例示として、ディスプレイ２３０に表示されるボタン、画像、アイコン、テキスト等に対応するタッチセンサ式ディスプレイ２３０上の場所が指又は別の適切なオブジェクトを用いて接触されてもよく、１つ以上の信号が接触に応じてプロセッサ２１０に送信されてもよい。一部の実施形態では、プロセッサ２１０は、通信インターフェース２５０を介して、例えば、タブレットコンピュータ、携帯電話、デスクトップコンピュータ、サーバ、他の適切な電子装置等の別の装置から１つ以上の信号を受信することができる。
【００５６】
複数の実施形態において、１つ以上の受信信号は、タッチセンサ面が第１の構成から第２の構成に変化させられるべきであることを示す。例えば、１つ以上の受信信号は、タッチセンサ面２７０が第１の構成から第２の構成に変化させられるべきであることを示してもよい。例えば、１つ以上の受信信号は、可撓性タッチセンサ式ディスプレイ２３０及び／又はタッチセンサ式ディスプレイ２３０に関係付けられるタッチセンサ面が第１の構成から第２の構成に変化させられるべきであることを示し得る。他の多くの例示が本明細書に開示され、他の様々な変形が本開示の範囲内にある。
【００５７】
方法５００を再度参照すると、１つ以上の信号を受信すると（５１０）、方法５００はブロック５２０に進む。ブロック５２０では、タッチセンサ面が第１の構成から第２の構成に変化させられる。例えば、タッチセンサ面２７０が第１の構成から第２の構成に変化させられるべきであることを１つ以上の信号が示す場合、プロセッサ２１０は、１つ以上のアクチュエータにタッチセンサ面２７０の構成を第１の構成から第２の構成に変化させるように構成される１つ以上の信号を生成してもよい。別の例示として、可撓性タッチセンサ式ディスプレイ２３０が第１の構成から第２の構成に変化させられるべきであることを１つ以上の信号が示す場合、プロセッサ２１０は、１つ以上のアクチュエータに可撓性タッチセンサ式ディスプレイ２３０の構成を第１の構成から第２の構成に変化させるように構成される１つ以上の信号を生成し得る。
【００５８】
複数の実施形態において、第１の構成及び／又は第２の構成は、任意の数の構成を含み得る。一実施形態では、第１の構成は完全に又は実質的に平坦な構成であり、第２の構成は隆起した構成である。例えば、タッチセンサ面２７０は、完全に又は実質的に平坦な第１の構成（例えば、図１Ａに示された構成に類似の構成）及び第２の構成では隆起した３次元トポグラフィ（図１Ｂに示された構成に類似の構成）を有してもよい。別の例示として、可撓性タッチセンサ式ディスプレイ２３０は、平坦又は実質的に平坦な第１の構成及び少なくとも部分的に隆起しておりキーボードの１つ以上のキーの外観を有する第２の構成を有し得る。一実施形態では、ユーザは、ディスプレイが第１の構成である場合にディスプレイ２３０の全体を見ることができ、ディスプレイが第２の構成である場合にディスプレイ２３０の第１の部分を見ること及びディスプレイの第２の部分における物理的な３次元キーをタイピングすることができる。他の多くの例示が本明細書に開示され、他の様々な変形が本開示の範囲内にある。
【００５９】
一実施形態では、第１の構成におけるタッチセンサ面は平坦な又は実質的に平坦な表面を含む。例えば、タッチセンサ式ディスプレイ２３０は、ユーザがディスプレイの露出した表面に接触するときに露出した表面が平坦又は実質的に平坦であるとユーザに感じられるように平坦又は実質的に平坦なトポグラフィを有する露出した表面を有してもよい。一実施形態では、第２の構成におけるタッチセンサ面は隆起したトポグラフィを含む。例えば、第２の構成では、タッチセンサ式ディスプレイ２３０は物理的なＱＷＥＲＴＹキーボードの外観を有してもよい。別の例示として、第２の構成では、タッチセンサ式ディスプレイ２３０は、１つ以上のキー、ボタン等の物理的な３次元の表現を含んでもよい。
【００６０】
一実施形態では、電子装置２００の機能性は、タッチセンサ面２７０が第２の構成である場合に、タッチセンサ面が第１の構成である場合とは異なる。例えば、一実施形態では、タッチセンサ面２７０が実質的に平坦である第１の構成であれば、ユーザは、物理的キー又はボタンがタッチセンサ面２７０によって画定されないのでそれらを使用してタイピングすることができなくてもよい。しかしながら、タッチセンサ面２７０が第２の構成であれば、隆起したキー、ボタン等がタッチセンサ面によって画定されるので、ユーザがキー、ボタン等を押す及び／又は押し下げることによって電子装置２００に入力を提供することが可能になってもよい。別の例示として、可撓性タッチセンサ式ディスプレイが第２の構成である場合に可撓性タッチセンサ式ディスプレイ２３０によって３次元物理的ボタン及び／又は３次元キーボードが画定されてもよいが、可撓性タッチセンサ式ディスプレイ２３０が第１の構成である場合に３次元物理的ボタン及び／又は３次元キーボードは画定されなくてもよい。従って、複数の実施形態において、可撓性タッチセンサ式ディスプレイ２３０が第２の構成である場合にユーザはボタンを押し下げることができるが、可撓性タッチセンサ式ディスプレイ２３０が第１の構成である場合にはそうすることができない。
【００６１】
一実施形態では、可撓性タッチセンサ式ディスプレイ２３０は第１の構成では平坦又は実質的に平坦である。例えば、ディスプレイ２３０が第１の構成である場合、タッチセンサ式ディスプレイ２３０の露出した表面の全体が平坦又は実質的に平坦であってもよい。
この実施形態では、タッチセンサ式ディスプレイ２３０が第２の構成である場合、タッチセンサ式ディスプレイ２３０の第１の部分は平坦又は実質的に平坦であり、タッチセンサ式ディスプレイ２３０の第２の部分は波形を付けられて１つ以上の物理的キーになり得る。従って、第２の構成では、ユーザは、ディスプレイ２３０の第２の部分において物理的キーでタイピングし、ディスプレイ２３０の第１の部分においてコンテンツを閲覧することができてもよい。一実施形態では、第２の構成では、タッチセンサ式ディスプレイ２３０の第１及び第２の部分は第２の部分が机等の表面に対して平坦に置かれ得るように角度が付けられ、それによりタッチセンサ式ディスプレイの第２の部分によって画定される物理的キー、ボタン等とユーザが相互作用することを可能にし、タッチセンサ式ディスプレイの第１の部分はユーザがディスプレイの第２の部分に表示されたコンテンツを容易に閲覧することができるように角度が付けられる。複数の実施形態において、ディスプレイの第１の部分とディスプレイの第２の部分との相対角度は、４５度、６０度又は他の適切な角度等の任意の角度であり得る。
【００６２】
一実施形態では、タッチセンサ面は、第１の構成である場合に不活性であり、第２の構成である場合に機能的である。図２を参照すると、タッチセンサ面２７０は、第１の構成である場合に平坦又は実質的に平坦であってもよい。例えば、タッチセンサ面２７０は、第１の構成である場合に、折り畳まれていない一枚の紙切れに似た及び／又は図１Ａに示されたタッチセンサ面の表面積に似た円滑な表面積を有してもよい。この実施形態では、タッチセンサ面は、タッチセンサ面が第１の構成にある場合に非機能的であってもよい。
例えば、ユーザは、タッチセンサ面が第１の構成である場合にタッチセンサ面を使用して電子装置２００に入力を提供することが可能でなくてもよい。他の実施形態では、タッチセンサ面は、第１の構成である場合に機能的である。例えば、タッチセンサ面は、タッチセンサ面が第１の構成である場合に電子装置２００に入力を提供するために使用されてもよい。別の例示として、ユーザは、タッチセンサ面が電子装置２００に入力を提供するための第１の構成である場合に、タッチセンサ面上の１つ以上の場所に接触することが可能であってもよい。
【００６３】
一部の実施形態では、タッチセンサ面は、第２の構成である場合に１つ以上の装置に入力を提供するように構成される。図２を参照すると、タッチセンサ面２７０は、第２の構成である場合に少なくとも部分的に隆起されてもよい。例えば、タッチセンサ面２７０は、折り曲げられ、折り畳まれ、又はそれ以外の操作で第２の構成にされてもよい。第２の構成では、タッチセンサ面は、ユーザがタッチセンサ面と相互作用するために押す及び／又は押し下げることができる１つ以上の物理的な３次元キー、ボタン、キーパッド、キーボード等を画定してもよい。例えば、一実施形態では、タッチセンサ面を備える電子装置が、例えばＵＳＢ接続、ＰＳ／２接続等の有線接続を介して、及び／又は例えばＷｉＦｉ、Ｂｌｕｅｔｏｏｔｈ（登録商標）等の無線接続を介して、例えばスマートフォン、タブレットコンピュータ、デスクトップコンピュータ等の他の装置と接続されてもよい。この実施形態では、タッチセンサ面が第２の構成であって他の装置と接続される場合、タッチセンサ面は他の装置に入力を提供するために使用されてもよい。例えば、タッチセンサ面は、タッチセンサ面が第２の構成であって他の装置と接続される場合に、他の電子装置に入力を提供するためにキーボードとして使用されてもよい。他の多くの例示が本明細書に開示され、他の様々な変形が本開示の範囲内にある。
【００６４】
複数の実施形態において、限定されないが、線形共振アクチュエータ（ＬＲＡ）、圧電アクチュエータ、電気活性ポリマ（ＥＡＰ）アクチュエータ、薄膜アクチュエータ、形状記憶合金、ＤＣモータ、ＡＣモータ、可動磁石アクチュエータ、Ｅコアアクチュエータ、スマートゲル又は任意の他の適切な装置又は装置の集合を含む任意の数の装置が、タッチセンサ面を第１の構成から第２の構成に変化させるために使用されてもよい。例えば、１つ以上のこうした装置が、タッチセンサ式ディスプレイ２３０又はタッチセンサ面２７０と接続されてもよく、ディスプレイ２３０又は表面２７０を第１の構成から第２の構成に変化させるように構成され得る。他の多くの例示が本明細書に開示され、他の様々な変形が本開示の範囲内にある。
【００６５】
方法５００を再度参照すると、一旦タッチセンサ面が第１の構成から第２の構成に変化すると（５２０）、方法５００はブロック５３０に進む。ブロック５３０では、１つ以上の信号が受信される（５３０）。例えば、１つ以上の信号が、プロセッサ２１０によってタッチセンサ式ディスプレイ２３０及び／又はタッチセンサ面２７０から受信されてもよい。一実施形態では、プロセッサ２１０は、ディスプレイ２３０が第２の構成である場合に画定される１つ以上の入力装置とユーザが相互作用すると、タッチセンサ式ディスプレイ２３０から１つ以上の信号を受信する。例えば、タッチセンサ式ディスプレイ２３０が第２の構成である場合に、タッチセンサ式ディスプレイの少なくとも一部が１つ以上の物理的な３次元キーボードのキーを画定してもよい。タッチセンサ式ディスプレイが第１の構成である場合にはキーボードの１つ以上のキーは画定されない。この実施形態では、ユーザは、ディスプレイが第２の構成である場合にタッチセンサ式ディスプレイ２３０によって画定されるキーを押すことによって電子装置２００に入力を提供することができる。
このように、ユーザが、従来のキーボードでタイピングするのとほぼ同様にタッチセンサ式ディスプレイのキーを画定する部分でタイピングすることが可能であってもよい。他の多くの例示が本明細書に開示され、他の様々な変形が本開示の範囲内にある。
【００６６】
方法５００を再度参照すると、一旦１つ以上の信号を受信すると（５３０）、方法５００はブロック５４０に進む。ブロック５４０では、受信した信号に対応する情報がディスプレイに表示され得る。例えば、ユーザが１つ以上のキー、ボタン等を画定する第２の構成においてタッチセンサ面と相互作用すると、キーの押下、クリック等に対応する情報がディスプレイに表示され得る。一実施形態では、ディスプレイ２３０が第２の構成である場合に、タッチセンサ式ディスプレイ２３０の一部がキーボードを画定する。この実施形態では、ユーザがキーボードでタイピングすると、様々なキーの押下に対応する文字がタッチセンサ式ディスプレイの別の部分に表示され得る。別の実施形態では、表面２７０が第２の構成である場合、タッチセンサ面２７０は、電子装置２００と通信し、１つ以上のキー及び／又はボタンを画定する。この実施形態では、キー及び／又はボタンとユーザの相互作用に対応する情報が、タッチセンサ面２７０から送信されて、ディスプレイ２３０に表示され得る。例えば、ユーザがタッチセンサ面２７０上で文字「Ｂ」に対応する物理的キーを押せば、文字「Ｂ」がディスプレイ２３０に表示されてもよい。別の例示として、表面２７０が第２の構成でありキーの押下が例えばハイパーリンク、メニュー、アイコン等のディスプレイ２３０に表示されるアイテムの選択に対応する場合に、ユーザがタッチセンサ面２７０によって画定されるキー又はボタンを押せば、ディスプレイ２３０はアイテムが選択されたことを反映するために更新され得る。他の多くの例示が本明細書に開示され、他の様々な変形が本開示の範囲内にある。
【００６７】
方法５００を再度参照すると、一旦情報がディスプレイに表示されると、方法５００はブロック５５０に進む。ブロック５５０では、１つ以上の信号が受信される。一実施形態では、１つ以上の受信した信号は、タッチセンサ式ディスプレイ２３０及び／又はタッチセンサ面２７０が第２の構成から第１の構成に変換されるべきであることを示す。例えば、ユーザは、第２の構成から第１の構成にタッチセンサ面２７０が変化させられるべきであることを示す電子装置２００の側にあるボタンを押してもよい。別の例示として、ユーザは、第２の構成にディスプレイ２３０がある場合に画定され、タッチセンサ式ディスプレイが第２の構成から第１の構成に変換されるべきであることを示すディスプレイ２３０上の特定の場所に接触し及び／又はキー若しくはボタンを押してもよい。一実施形態では、ディスプレイ２３０におけるキー、ボタン及び／又は場所が押され又は接触されてもよく、これはタッチセンサ面２７０が第２の構成から第１の構成に変換されるべきであることを示す。別の実施形態では、タッチセンサ面２７０におけるキー、ボタン及び／又は場所が押され又は接触されてもよく、これはディスプレイ２３０が第２の構成から第１の構成に変換されるべきであることを示す。他の多くの例示が本明細書に開示され、他の様々な変形が本開示の範囲内にある。
【００６８】
方法５００を再度参照すると、一旦１つ以上の信号を受信すると（５５０）、方法５００はブロック５６０に進む。ブロック５６０では、タッチセンサ面が第２の構成から第１の構成に変化させられる。例えば、タッチセンサ面２７０が第２の部分から第１の構成に変換させられるべきであることを受信信号が示す場合、タッチセンサ面は第２の構成から第１の構成に変換させられてもよい。別の例示として、ディスプレイ２３０の一部が第２の部分から第１の構成に変換させられるべきであることを１つ以上の受信信号が示す場合、ディスプレイの一部は第２の構成から第１の構成に変換させられ得る。様々な実施形態において、タッチセンサ式ディスプレイ２３０及び／又はタッチセンサ面２７０は、タッチセンサ式ディスプレイ２３０及び／又はタッチセンサ面を第１の構成から第２の構成に変換することに関して本明細書で検討されたものを含む様々なやり方で第２の構成から第１の構成に変換させられ得る。他の多くの例示が本明細書に開示され、他の様々な変形が本開示の範囲内にある。
【００６９】
（表面特徴を生成するために波形テッセレーションを使用する例示的な方法）
図６は、一実施形態による表面特徴を生成するために波形テッセレーションを使用する方法６００に関するフローチャートを示す。図６に示される方法６００は、図２に示される電子装置２００に関して記載される。
【００７０】
方法６００は、１つ以上の信号が受信されるとブロック６１０で開始する。例えば、図２に示された装置におけるボタンが押されてもよく、これにより１つ以上の信号がプロセッサ２１０に送信される。別の例示として、ディスプレイ２３０に表示されるボタン、画像、アイコン、テキスト等に対応するタッチセンサ式ディスプレイ２３０上の場所が指又は別の適切なオブジェクトを用いて接触されてもよく、１つ以上の信号が接触に応じてプロセッサ２１０に送信されてもよい。一部の実施形態では、プロセッサ２１０は、通信インターフェース２５０を介して、例えば、タブレットコンピュータ、携帯電話、デスクトップコンピュータ、サーバ、他の適切な電子装置等の別の装置から１つ以上の信号を受信することができる。
【００７１】
複数の実施形態において、１つ以上の受信信号は、タッチセンサ面が新しいレイアウトに変化させられるべきであることを示す。例えば、１つ以上の受信信号は、タッチセンサ面２７０が第１の構成（例えば、現在のレイアウト）から第２の構成（例えば、新しいレイアウト）に変化させられるべきであることを示してもよい。例えば、１つ以上の受信信号は、可撓性タッチセンサ式ディスプレイ２３０及び／又はタッチセンサ式ディスプレイ２３０に関係付けられるタッチセンサ面が第１のレイアウトから第２のレイアウトに変化させられるべきであることを示し得る。一実施形態では、第１のレイアウトは、ディスプレイ２３０及び／又は表面２７０に対して平坦又は実質的に平坦な表面を含む。他の実施形態では、第１のレイアウトは、平坦又は実質的に平坦なディスプレイ２３０の一部及び／又は表面２７０の一部を含む。一部の実施形態では、第２のレイアウトは、隆起した又はそれ以外の３次元のディスプレイ２３０の一部及び／又は表面２７０の一部を含む。例えば、表面２７０の一部に対する第２のレイアウトは、１つ以上の物理的な３次元キー、ボタン等を含んでもよい。一部の実施形態では、第２のレイアウトで画定される１つ以上のキー、ボタン等は、第１のレイアウトでは画定されない。他の多くの例示が本明細書に開示され、他の様々な変形が本開示の範囲内にある。
【００７２】
方法６００を再度参照すると、一旦１つ以上の信号を受信すると（６１０）、方法６００はブロック６２０に進む。ブロック６２０において、レイアウトが決定される。一実施形態では、レイアウトは、１つ以上の受信した信号に少なくとも部分的に基づいて決定される。例えば、信号がタッチセンサ式ディスプレイ２３０に対する特定のレイアウトを示す場合、その特定のレイアウトを使用する決定が電子装置２００によって行われる。別の実施形態では、レイアウトは、２つ以上の利用可能なレイアウト間の選択に少なくとも部分的に基づいて決定される。例えば、タッチセンサ面２７０に対して利用可能なレイアウトのメニューがディスプレイ２３０に表示されてもよく、ユーザはタッチセンサ面２７０が利用可能なレイアウトの何れを使用するべきかを選択することができる。別の例示として、ディスプレイ２３０は、ディスプレイ２３０に対して利用可能なレイアウトに対応するアイコンを表示してもよい。この例では、ユーザは、使用したいレイアウトに対応するディスプレイ２３０の場所に接触することによってどのレイアウトを使用するべきかを選択することができる。様々な実施形態において、ディスプレイ２３０及び／又は表面２７０は、ディスプレイ２３０及び／又は表面２７０が選択されたレイアウトと対応するように新しいレイアウトの選択に応じて更新される。例えば、選択されたレイアウトが１から９までの数字に関するキーを含む物理的な３次元キーパッドを含む場合、表面２７０のレイアウトは、表面が１から９までの数字に関する物理的な３次元キーを含むように変更されてもよい。
【００７３】
一実施形態では、１つ以上の信号が通信インターフェースを介して別の装置から受信されて、ディスプレイ２３０及び／又は表面２７０に対するレイアウトを決定するために使用される。例えば、電子装置２００が特定のトポグラフィを有するマップを含むウェブページを受信する場合、電子装置２００は、特定のトポグラフィに対応する３次元レイアウトを決定してもよい。従って、一実施形態では、マップの第１の部分がマップを表し且つマップの第２の部分が平坦な土地を表す場合、電子装置は、山に対応するレイアウトの第１の部分がマップ上の平坦な土地に対応するレイアウトの第２の部分よりも物理的に３次元的に高いレイアウトを決定してもよい。言い換えれば、一実施形態では、決定された３次元レイアウトは、マップ又は他の情報等の別の装置又はメモリから受信された情報を表す。他の多くの例示が本明細書に開示され、他の様々な変形が本開示の範囲内にある。
【００７４】
複数の実施形態において、一旦レイアウトが決定されると、タッチセンサ式ディスプレイ２３０及び／又はタッチセンサ面２７０は、決定されたレイアウトを反映するように更新される。例えば、タッチセンサ式ディスプレイ２３０は、レイアウトを決定するために使用されたマップに対応する決定されたレイアウトを３次元的に反映するように更新されてもよい。別の例示として、ユーザによって特定のレイアウトが選択される場合、タッチセンサ面２７０は、選択されたレイアウトを３次元的に反映するように変化させられてもよい。他の多くの例示が本明細書に開示され、他の様々な変形が本開示の範囲内にある。
【００７５】
方法６００を再度参照すると、一旦レイアウトが決定されると（６２０）、方法６００はブロック６３０に進む。ブロック６３０では、１つ以上の信号が受信される（６３０）。例えば、ディスプレイ２３０が決定されたレイアウトを３次元的に反映するように変化し且つ決定されたレイアウトが１つ以上のキー、ボタン等を画定する場合、ユーザは、ディスプレイ２３０によって画定されるキー、ボタン等と相互作用することができてもよい。従って、ユーザは、決定されたレイアウトを有するディスプレイによって画定されたボタンを押すことができてもよい。別の例示として、一実施形態では、ユーザは、ディスプレイ２３０が決定されたレイアウトを有する場合にディスプレイ２３０によって画定されるキーを押す及び／又は押し下げることができる。様々な実施形態において、ディスプレイ２３０及び／又は表面２７０は、決定されたフォーマットである場合に別のフォーマットである場合とは異なるキー、ボタン等の１つ以上の入力を画定する。他の多くの例示が本明細書に開示され、他の様々な変形が本開示の範囲内にある。
【００７６】
方法６００を再度参照すると、一旦１つ以上の信号を受信すると（６３０）、方法６００はブロック６４０に進む。ブロック６４０では、１つ以上の触覚効果が決定される。例えば、ディスプレイ２３０がキーを画定する決定されたレイアウトにあってユーザがそのキーを押す場合、電子装置２００は、キーが押されたことを示す１つ以上の触覚効果が出力されるべきであることを決定してもよい。別の例示として、タッチセンサ面２７０が第１のレイアウトから第２のレイアウトに変換される場合、表面２７０のレイアウトが変更されたことを示すために触覚出力装置２４０及び／又は触覚出力装置２６０によって１つ以上の触覚効果が出力されてもよい。一実施形態では、表面２７０がボタンを画定する決定されたレイアウトにあって、ディスプレイ２３０に表示されたアイテムの選択を示すためにユーザがそのボタンを押す場合、そのアイテムが選択されたことを示す１つ以上の触覚効果が決定されてもよい。他の多くの例示が本明細書に開示され、他の様々な変形が本開示の範囲内にある。
【００７７】
方法６００を再度参照すると、一旦１つ以上の触覚効果を決定すると（６４０）、方法６００はブロック６５０に進む。ブロック６５０では、１つ以上の触覚出力信号が生成される。例えば、プロセッサ２１０は、１つ以上の決定された触覚効果を引き起こすように構成される１つ以上の触覚出力信号を生成してもよい。他の多くの例示が本明細書に開示され、他の様々な変形が本開示の範囲内にある。
【００７８】
方法６００を再度参照すると、１つ以上の触覚出力信号が生成されると（６５０）、方法６００はブロック６６０に進む。ブロック６６０では、１つ以上の触覚出力信号が出力される。例えば、プロセッサ２１０は、生成された触覚出力信号の１つ以上を、触覚出力装置２４０及び／又は触覚出力装置２６０に出力してもよい。１つ以上の信号を受信することに応じて、触覚出力装置２４０及び／又は触覚出力装置２６０は、決定された触覚効果に対応する１つ以上の触覚効果を出力してもよい。他の多くの例示が本明細書に開示され、他の様々な変形が本開示の範囲内にある。
【００７９】
（一般事項）
本明細書に記載の方法及びシステムは様々な機械で実行するソフトウェアに関して記載されているが、方法及びシステムは、例えば、様々な方法を実行するように専用に構成されるＦＰＧＡ（ｆｉｅｌｄ−ｐｒｏｇｒａｍｍａｂｌｅ  ｇａｔｅ  ａｒｒａｙ）等の専用に構成されたハードウェアとして実装されてもよい。例えば、実施形態は、デジタル電子回路で、又はコンピュータハードウェア、ファームウェア、ソフトウェア若しくはこれらの組み合わせで実装され得る。一実施形態では、装置は、１つ又は複数のプロセッサを備えてもよい。プロセッサは、プロセッサに結合されるＲＡＭ（ｒａｎｄｏｍ  ａｃｃｅｓｓ  ｍｅｍｏｒｙ）等のコンピュータ可読媒体を備える。プロセッサは、メモリに記憶されたコンピュータ実行可能プログラム命令を実行する。例えば、画像を編集するために１つ以上のコンピュータプログラムを実行する。このようなプロセッサは、マイクロプロセッサ、ＤＳＰ（ｄｉｇｉｔａｌ  ｓｉｇｎａｌ  ｐｒｏｃｅｓｓｏｒ）、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、ＦＰＧＡ（ｆｉｅｌｄ  ｐｒｏｇｒａｍｍａｂｌｅ  ｇａｔｅ  ａｒｒａｙ）、及び状態機械を含む。このようなプロセッサは、ＰＬＣ、ＰＩＣ（ｐｒｏｇｒａｍｍａｂｌｅ  ｉｎｔｅｒｒｕｐｔ  ｃｏｎｔｒｏｌｌｅｒ）、ＰＬＤ（ｐｒｏｇｒａｍｍａｂｌｅ  ｌｏｇｉｃ  ｄｅｖｉｃｅ）、ＰＲＯＭ（ｐｒｏｇｒａｍｍａｂｌｅ  ｒｅａｄ−ｏｎｌｙ  ｍｅｍｏｒｙ）、ＥＰＲＯＭ又はＥＥＰＲＯＭ（ｅｌｅｃｔｒｏｎｉｃａｌｌｙ  ｐｒｏｇｒａｍｍａｂｌｅ  ｒｅａｄ−ｏｎｌｙ  ｍｅｍｏｒｙ）、又は他の類似の装置等のプログラム可能電子装置を更に備えてもよい。
【００８０】
このようなプロセッサは、媒体、例えば、プロセッサによって実行されると、プロセッサによって遂行又は支援される本明細書に記載のステップをプロセッサに実行させることが出来る命令を記憶し得るコンピュータ可読媒体を備え、又はこれと通信してもよい。コンピュータ可読媒体の実施形態は、限定されないが、プロセッサ、例えばウェブサーバのプロセッサにコンピュータ可読命令を提供することが出来る電子、光学、磁気又は他の記憶装置を備えてもよい。媒体の他の例は、限定されないが、フロッピー（登録商標）ディスク、ＣＤ−ＲＯＭ、磁気ディスク、メモリチップ、ＲＯＭ、ＲＡＭ、ＡＳＩＣ、構成プロセッサ、全ての光学媒体、全ての磁気テープ若しくは他の磁気媒体、又はコンピュータプロセッサが読み取り可能な任意の他の媒体を含む。記載されたプロセッサ及び処理は、１つ以上の構造内にあってもよく、１つ以上の構造を通じて分散されてもよい。プロセッサは、本明細書に記載の１つ以上の方法（又は方法の一部）を実行するためのコードを備えてもよい。
【００８１】
本発明の一部の実施形態の上記の説明は、例示及び説明のためにのみ示されているのであって、網羅的であること又は開示された厳密な形態に本発明を限定することは意図されていない。その多くの修正及び適合が、本発明の精神及び範囲から逸脱することなく当業者には明らかであろう。
【００８２】
本明細書における「一実施形態」又は「ある実施形態」への言及は、特定の機能、構造、操作、又は実施形態と関連して記載される他の特徴が本発明の少なくとも１つの実装に含まれ得ることを意味する。本発明は、このように記載された特定の実施形態に制限されない。明細書の様々な場所における「一実施形態において」又は「ある実施形態において」という句の出現は、必ずしも同じ実施形態への言及ではない。任意の特定の機能、構造、操作、又は「一実施形態」に関連する本明細書に記載の他の特徴は、他の機能、構造、操作、又は任意の他の実施形態に関して記載された他の特徴と組み合わされてもよい。
【図１】
2019145146.tif 000004
【図２】
2019145146.tif 000005
【図３Ａ】
2019145146.tif 000006
【図３Ｂ】
2019145146.tif 000007
【図４】
2019145146.tif 000008
【図５】
2019145146.tif 000009
【図６】
2019145146.tif 000010
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
第１の構成及び第２の構成をとることができるタッチセンサ面と、
前記タッチセンサ面が前記第１の構成と前記第２の構成との間を遷移することを支援するように前記タッチセンサ面に結合されるアクチュエータと、
非一時的なコンピュータ可読媒体と、
前記非一時的なコンピュータ可読媒体と通信するプロセッサと
を備え、
前記プロセッサは、前記非一時的なコンピュータ可読媒体に記憶されているプロセッサ実行可能命令を実行して、
前記タッチセンサ面が前記第１の構成である間に入力装置から第１の入力信号を受信すること、
前記第１の入力信号に基づいて前記アクチュエータに第１のアクチュエータ信号を出力することであって、前記第１のアクチュエータ信号は、前記アクチュエータによって前記第１の構成から前記第２の構成に前記タッチセンサ面を遷移させるように構成されること、
前記タッチセンサ面が前記第２の構成である間に前記入力装置から第２の入力信号を受信すること、及び
前記第２の入力信号に基づいて前記アクチュエータに第２のアクチュエータ信号を出力することであって、前記第２のアクチュエータ信号は、前記アクチュエータによって前記第２の構成から前記第１の構成に前記タッチセンサ面を遷移させるように構成されること
を行うように構成される、装置。
【請求項２】
前記タッチセンサ面は、前記第１の構成であるときに実質的に平坦な表面を画定し、前記第２の構成であるときに検知可能な３次元起伏表面を画定する、請求項１に記載の装置。
【請求項３】
前記入力装置は、前記タッチセンサ面を含む、請求項１に記載の装置。
【請求項４】
前記入力装置は、前記タッチセンサ面によって表示される、請求項１に記載の装置。
【請求項５】
前記タッチセンサ面を含むタッチセンサ式ディスプレイを更に備える、請求項１に記載の装置。
【請求項６】
前記タッチセンサ式ディスプレイは、前記タッチセンサ面が前記第１の構成であるときに、実質的に平坦なビュー領域を含み、前記タッチセンサ式ディスプレイは、クラムシェル構成において実質的に平坦なビュー領域を含む第１の部分と前記第１の部分に対して角度が付けられる第２の部分とを含む、請求項５に記載の装置。
【請求項７】
前記タッチセンサ面が前記第２の構成であるときにユーザが前記装置の前記タッチセンサ面に接触した場合、前記ユーザは、前記タッチセンサ面が平坦ではない又は実質的に平坦ではないと感じることができる、請求項１に記載の装置。
【請求項８】
前記アクチュエータは、前記タッチセンサ面が前記第１の構成と前記第２の構成との間を遷移することを支援するように前記タッチセンサ面に結合される複数のアクチュエータを含む、請求項１に記載の装置。
【請求項９】
前記装置は、前記タッチセンサ面が前記第１の構成であるときに第１の複数の入力装置を画定し、前記タッチセンサ面が前記第２の構成であるときに第２の複数の入力装置を画定する、請求項１に記載の装置。
【請求項１０】
前記装置は、無線電話又はタブレットコンピュータの少なくとも１つである、請求項１に記載の装置。
【請求項１１】
前記装置は携帯型であり、前記装置は互換性のある電子装置と接続され且つ前記タッチセンサ面が前記第２の構成であるときにキーボードとして使用されるように構成され、前記装置は前記第１の構成であるときには前記キーボードとして使用されるように構成されない、請求項１に記載の装置。
【請求項１２】
電子装置のプロセッサによって、タッチセンサ面が第１の構成から前記第１の構成とは異なる第２の構成に変換されるべきであることを示す第１の入力を受信するステップと、
前記プロセッサによって、アクチュエータに前記タッチセンサ面を前記第１の構成から前記第２の構成に変換することを支援させるように構成される信号を生成するステップと、
前記電子装置によって、前記アクチュエータに前記信号を出力するステップと
を含む、方法。
【請求項１３】
前記プロセッサによって、前記タッチセンサ面が前記第２の構成であるときに第２の入力を受信するステップと、
前記プロセッサによって、アクチュエータに前記タッチセンサ面を前記第２の構成から前記第１の構成に変換することを支援させるように構成される第２の信号を生成するステップと、
前記電子装置によって、前記アクチュエータに前記第２の信号を出力するステップと
を更に含む、請求項１２に記載の方法。
【請求項１４】
タッチセンサ式ディスプレイが前記タッチセンサ面を備える、請求項１２に記載の方法。
【請求項１５】
前記タッチセンサ式ディスプレイは、前記タッチセンサ面が前記第１の構成であるときに、実質的に平坦なビュー領域を含み、前記タッチセンサ式ディスプレイは、クラムシェル構成において実質的に平坦なビュー領域を含む第１の部分と前記第１の部分に対して角度が付けられる第２の部分とを含む、請求項１４に記載の方法。
【請求項１６】
前記第１の入力は、ボタン押下を含む、請求項１２に記載の方法。
【請求項１７】
前記第１の入力は、前記タッチセンサ面のタッチセンサ部との接触を含む、請求項１２に記載の方法。
【請求項１８】
前記タッチセンサ面が前記第２の構成であるときにユーザが前記電子装置の前記タッチセンサ面に接触した場合、前記ユーザは、前記タッチセンサ面が平坦ではない又は実質的に平坦ではないと感じることができる、請求項１２に記載の方法。
【請求項１９】
前記アクチュエータは、前記タッチセンサ面が前記第１の構成と前記第２の構成との間を遷移することを支援するように前記タッチセンサ面に結合される複数のアクチュエータを含む、請求項１２に記載の方法。
【請求項２０】
前記電子装置は、無線電話又はタブレットコンピュータの少なくとも１つである、請求項１２に記載の方法。
【外国語明細書】
2019145146000001.pdf